(57)【要約】      （修正有）【課題】グリップサイズを選ばずに使用することができ、ゴルフクラブに着脱容易な錘付きグリップエンドを提供する。【解決手段】ゴルフクラブのグリップよりも直径が大きく内部に空間を有する略円柱状のストッパーと、該ストッパーの端面に繋がりゴルフクラブのグリップ外径を挿入するための円筒状の差込口とからなり、前記ストッパー内部に錘が収納されている。ストッパーは、内部に錘を収納する空間と、円筒状の差込口の反対側端面に該錘を収納するための開口部を有し、該開口部はその周縁に少なくとも１つの切欠きと該切欠き先端部に切穴を有している。グリップエンド本体の素材が弾性体である。【選択図】図１
0003173463.tif 000002
【実用新案登録請求の範囲】
【請求項１】
弾性変形可能な円筒状の差込口と略円柱状の直径がグリップよりも大きいストッパーとからなり、該ストッパー内部に錘を収納することを特徴とする錘付きグリップエンド。
【請求項２】
前記錘を収納する開口部は少なくとも１つの切欠きと切穴を有していることを特徴とする請求項１記載の錘付きグリップエンド。
【請求項３】
グリップエンド本体の素材が弾性体であることを特徴とする請求項１記載の錘付きグリップエンド。
【考案の詳細な説明】
【技術分野】
【０００１】
本考案は、ゴルフクラブのグリップに装着し使用する錘付きグリップエンドに関するものである。
【背景技術】
【０００２】
ゴルフプレイヤーは、ゴルフクラブに対してボールの飛距離性能あるいは方向性を所望している。これらの要求を満たすために、プレイヤーは力量に応じたゴルフクラブのセッティングが必要である。そのため従来からセッティング用の器具に対する理論、思想も様々なものがある。例えばゴルフクラブのグリップに関しては、しっかり握れて滑りにくく、スイング中のゴルフクラブの動きに対してずれないで、打球時の衝撃をある程度緩和できることが重要とされている。さらにゴルフのスイングバランス理論に、手元部（グリップエンド）に重量を配分し振り易さを求めるカウンターバランス理論がある。
【０００３】
そのためグリップそのものを重くしたものや、錘をグリップ内に固着したものがある。特許文献１ではカウンターバランス部材をグリップエンド面に取付け、プレイヤーに適したウエイトバランスを得る技術が開示されている。また、特許文献２ではプレイヤーの要求する打球時のフィット感を選択できるよう、衝撃伝達用具のグリップに重量可変キャップを取付けた技術が開示されている。さらに、特許文献３、特許文献４ではスイング時に滑らないようにグリップの末端に突起物を設けて、野球のバットのような形状をしたグリップに関する技術が開示されている。
【先行技術文献】
【特許文献】
【０００４】
【特許文献１】特開平６−１４２２４４号公報
【特許文献２】特開２００８−１３７１５１号公報
【特許文献３】実用新案登録第３１４５３２７号公報
【特許文献４】実用新案登録第３０２６０９３号公報
【考案の概要】
【考案が解決しようとする課題】
【０００５】
しかしながらグリップの交換は煩雑な作業を伴う。一般的な作業手順は以下となる。
（１）古いグリップを切り裂きシャフトからはずし、シャフトに巻いてある両面テープをはがす。
（２）むき出しになったシャフトに新たに両面テープを巻きつける。
（３）内側に溶剤を塗布した新しいグリップにシャフトを挿入する。
（４）溶剤が乾くまで長時間放置する。
そのためにグリップの交換は専門店に依頼することが多く、グリップ交換を必要とするセッティング器具の使用は、簡便性が低い。
【課題を解決するための手段】
【０００６】
上記課題を解決するために、本考案の錘付きグリップエンドは、弾性変形可能な円筒状の差込口と略円柱状の直径がグリップよりも大きいストッパーとからなり、該ストッパー内部に錘を収納することを第１の特徴とし、前記錘を収納する開口部は少なくとも１つの切欠きと切穴を有していることを第２の特徴とし、グリップエンド本体の素材が弾性体であることを第３の特徴とする。
【考案の効果】
【０００７】
本考案の錘付きグリップエンドは以下のような優れた効果を奏する。
（１）既成のゴルフグリップに着脱自在に装着することが出来る。そのため練習時に使用するだけでなく、ラウンド中には素振りに用いてスイング確認にも使用できる。
（２）グリップエンド本体の素材が弾性体であるため、差込口は伸縮性に富み、グリップサイズを選ばない。また、クラブを選ばずに使用できる。
（３）グリップに錘を付加することでヘッドを軽く感じ、ヘッドスピードを速くすることができる。ヘッドスピードが上がるためボールの初速も上がる。さらにグリップの重量が増すためインパクト時にグリップの振動が軽減され、振動によるトルク、ねじれ効果が減少しグリップならびにゴルフクラブの回転量を小さくできる。つまりはヘッドの回転が少ないため、打球はフック・スライスしにくく、打球の方向性が高まる。
（４）ストッパーを設けたことで、スイング時にクラブがすっぽ抜けることを防止できる。さらに握力の弱いプレイヤーはクラブのすっぽ抜けを気にせずに、力強くスイングすることができる。
（５）錘を容易に交換可能としたために、試し打ちしながらの微調整が可能となる。
【図面の簡単な説明】
【０００８】
【図１】本考案に係る錘付きグリップエンドの一実施例を示す斜視図である。
【図２】図１の断面図である。
【図３】図２右側面図である。
【図４】本考案に係る錘付きグリップエンドの他実施例を示す斜視図である。
【図５】図４の断面図である。
【考案を実施するための形態】
【０００９】
次に、本考案の実施の形態を図面に示す実施例に基づいて説明する。
【実施例】
【００１０】
図１、図２に示すように、本考案に係る錘付きグリップエンド１は、グリップ９よりも直径の大きい略円柱状のストッパー２からなり、グリップ９の外径よりも小さい内径をもつ円筒状の差込口３がストッパー２に繋がっている。ストッパー２は内部に錘４を収納する空間を有し、円形状の開口５を設けている。また、ストッパー２の底面には空気穴６を設けてあり、これにより差込口３にグリップ９を挿入した際、差込口３に溜まる空気が排気され、空気溜まりが邪魔にならによう挿入の容易化を図っている。
【００１１】
錘４の素材は、質量が大きく可撓性に富む鉛板が好ましい。本実施例では市販されているテープ鉛を５０ｇ使用したが、形状や錘の材質については限定するものでなく、ストッパー２の内部に収まる形と大きさであれば良い。
【００１２】
図３に示すように、開口５は２つの切欠き７を有し、切欠き７の先端には切穴８を備えており、切欠き７が裂けることを防止している。これにより開口５の外円周部をめくり、錘４をストッパー２の内部へ装着することが可能となる。
【００１３】
図４、図５はストッパー２が、差込口３から開口５側に向けて、放射状に広がるフレア形状となっている実施例である。ストッパー２の形状や大きさはグリップを握った際に小指が引っ掛かる程度であれば良く、限定するものではない。
【００１４】
グリップエンド本体の材質は弾性材料が好ましく、本実施例ではゴムを成形したが、素材については限定するものではない。尚、本考案は特にゴルフグリップとしての使用に適しており、本発明の要旨を逸脱しない範囲で種々の変更が可能であることは言うまでもない。
【符号の説明】
【００１５】
１    錘付きグリップエンド
２    ストッパー
３    差込口
４    錘
５    開口
６    空気穴
７    切欠き
８    切穴
９    グリップ
【図１】
0003173463.tif 000003
【図２】
0003173463.tif 000004
【図３】
0003173463.tif 000005
【図４】
0003173463.tif 000006
【図５】
0003173463.tif 000007
【手続補正書】
【提出日】平成23年12月5日(2011.12.5)
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブのグリップよりも直径が大きく内部に空間を有する略円柱状のストッパーと、該ストッパーの端面に繋がりゴルフクラブのグリップ外径を挿入するための円筒状の差込口とからなり、前記ストッパー内部に錘が収納されていることを特徴とする錘付きグリップエンド。
【請求項２】
ストッパーは、内部に錘を収納する空間と、円筒状の差込口の反対側端面に該錘を収納するための開口部を有し、該開口部はその周縁に少なくとも１つの切欠きと該切欠き先端部に切穴を有していることを特徴とする請求項１記載の錘付きグリップエンド。
【請求項３】
グリップエンド本体の素材が弾性体であることを特徴とする請求項１または請求項２記載の錘付きグリップエンド。
【手続補正２】
【補正対象書類名】明細書
【補正対象項目名】０００６
【補正方法】変更
【補正の内容】
【０００６】
上記課題を解決するために、本考案の錘付きグリップエンドは、ゴルフクラブのグリップよりも直径が大きく内部に空間を有する略円柱状のストッパーと、該ストッパーの端面に繋がりゴルフクラブのグリップ外径を挿入するための円筒状の差込口とからなり、前記ストッパー内部に錘が収納されていることを第１の特徴とし、ストッパーは、内部に錘を収納する空間と、円筒状の差込口の反対側端面に該錘を収納するための開口部を有し、該開口部はその周縁に少なくとも１つの切欠きと該切欠き先端部に切穴を有していることを第２の特徴とし、グリップエンド本体の素材が弾性体であることを第３の特徴とする。
【手続補正３】
【補正対象書類名】明細書
【補正対象項目名】００１０
【補正方法】変更
【補正の内容】
【００１０】
図１、図２に示すように、本考案に係る錘付きグリップエンド１は、グリップ９よりも直径の大きい略円柱状のストッパー２からなり、グリップ９の外径よりも小さい内径をもつ円筒状の差込口３がストッパー２に繋がっている。ストッパー２は内部に錘４を収納する空間を有し、円形状の開口５を設けている。また、ストッパー２の底面には空気穴６を設けてあり、これにより差込口３にグリップ９を挿入した際、差込口３に溜まる空気が排気され、空気溜まりが邪魔にならぬよう挿入の容易化を図っている。